(57)【要約】  【課題】頭皮に対するブリッスルや刃物の傾斜角度の調整に何らの熟練やこつを必要とすることなく毛髪の切断のできる毛髪用ブラシ等に使用される交換用剃刀を提供することにある。他の目的は、使用時に刃物により、頭皮を損傷させるおそれのない安全性に優れた毛髪用ブラシ等に使用される交換用剃刀を提供することを目的とする。  【解決手段】刃物用母材に少なくとも２個の刃物を立設し、該刃物は、刃物用母材の長手方向と平行する直線に対して傾斜させながら複数個間隔を置いて互いに並行に配置されてなることを特徴とする。  【選択図】図１
2007296385.tif 000002
【特許請求の範囲】
【請求項１】
刃物用母材に少なくとも２個の刃物を立設し、該刃物は、刃物用母材の長手方向の中心線に対して傾斜させながら複数個間隔を置いて互いに平行に配置されてなることを特徴とする交換用剃刀。
【請求項２】
刃物の傾斜角度が、刃物用母材の長手方向の中心線に対して１０〜８０度の範囲であることを特徴とする請求項１記載の交換用剃刀。
【請求項３】
刃物の傾斜角度が、刃物用母材の長手方向の中心線に対して６０度であることを特徴とする請求項１記載の交換用剃刀。
【発明の詳細な説明】
【技術分野】
【０００１】
この発明は、毛髪の切断機能、毛髪の梳き機能および頭皮のマッサ−ジ機能を備えた毛髪用ブラシ等に使用される交換用剃刀に関する。
【背景技術】
【０００２】
毛髪の美粧を図ることを目的として、毛髪を梳き、過剰な毛髪を部分的に切断し、かつ、頭皮のマッサージを行いつつ、毛髪のスタイルを調整することが広く行われている。このような作業には、目的に応じて独立した梳きはさみとくしが利用され、毛髪の梳き作業と切断が伝統的に行われていた。また、毛髪の調整と併せ頭皮のマッサージを行うことを目的として毛髪用ブラシが採用されていることも知られるとおりである。
【０００３】
しかし、前記の背景技術では梳きはさみとくしのほか毛髪用ブラシの使用が必要であり、その作業には熟練やいわゆるこつを必要としたので、使い勝手に欠ける欠点があった。そこで、これらの欠点を解消しようと意図された毛髪用ブラシとして実開平５１−９９６６号公報に記載されたものがある（特許文献１を参照）。この背景技術は、毛髪用ブラシ本体にブリッスルが３列設けられ、これのブリッスルとの間に刃先７６ａを毛髪用ブラシ本体に対して反対側に向けられた刃物が毛髪用ブラシ本体に設けられ、刃物７６の高さがブリッスルより低く設けられたものである。
【特許文献１】実開平５１−９９６６号公報
【発明の開示】
【発明が解決しようとする課題】
【０００４】
前記の特許文献１記載の背景技術では、ブリッスルの高さに比較して高さが低い刃物７６が設けられているから、一見、刃物７６により頭皮を痛めることなく、毛髪の切断機能、毛髪の梳き機能および頭皮のマッサ−ジ機能を備えているものと想像されるが、依然として次の問題点がある。この背景技術の刃物７６は、ブリッスルと平行に毛髪用ブラシ本体に立起されている。したがって、使用時に刃物７６の刃先７６ａは毛髪Ｈに対して直角方向に向けられることになる（図５を参照）。
【０００５】
かくして、毛髪の梳き作業や頭皮のマッサージをブリッスルにより行うことが期待でき、刃物７６により毛髪Ｈの切断を行うことができるものの、刃物７６の刃先７６ａが毛髪Ｈに対して直角方向に移動することになるから、希望する毛髪の切断量を超えて過剰に切断することになり、図５に示されるように毛髪が段階的に切断される現象が生じることになる。その結果、いわゆる“虎刈り”の状態を呈することになり、毛髪に不揃いを発生するという決定的な問題点がある。
【０００６】
この発明の目的は、前記の背景技術の構成が有していた問題点を解決しようとするものであり、作業により、毛髪を梳くことや頭皮のマッサージを行うことと併せて、とりわけ、頭皮に対するブリッスルや刃物の傾斜角度の調整に何らの熟練やこつを必要とすることなく毛髪の切断ができる毛髪用ブラシ等に使用される交換用剃刀を提供することにある。他の目的は、使用時に刃物により、頭皮を損傷させるおそれのない安全性に優れた毛髪用ブラシ等に使用される交換用剃刀を提供することにある。
【課題を解決するための手段】
【０００７】
上記課題を解決するために本発明が採った手段は、刃物用母材に少なくとも２個の刃物を立設し、該刃物は、刃物用母材の長手方向の中心線に対して傾斜させながら複数個間隔を置いて互いに平行に配置されてなることを特徴とする。
【０００８】
また、刃物の傾斜角度が、刃物用母材の長手方向の中心線に対して１０〜８０度の範囲であることを特徴とする。
【０００９】
また、刃物の傾斜角度が、刃物用母材の長手方向の中心線に対して６０度であることを特徴とする。
【００１０】
この明細書の用語「ブリッスル」とは、整髪用具本体に立起されるもので、ブラシ歯、梳き歯、ブラシ毛、くし歯など多様に称されているが、これらの用語と共通のものである。一般的には細長いピン状のものであるが、横断面の形態が円形のほか、角張ったものでなければその形態を問わない。また、豚毛などの獣毛の多数を断面円形に束ねたものもブリッスルに含まれることはいうまでもない。
【発明の効果】
【００１１】
本発明の交換用剃刀は、整髪用具本体に着脱自在であるから、刃物の使用による劣化に応じて交換をすることができる。
【００１２】
また、ブラシ本体の嵌合孔に交換用剃刀の刃物用母材を装着でき、また、その嵌合孔から交換用剃刀を外すことができるから、交換用剃刀の着脱機構を複雑化させることなく、簡素化できる。
【発明を実施するための最良の形態】
【００１３】
本発明の交換用剃刀について詳述する。交換用剃刀２０は、ブリッスル１２が刃物用母材２２に立設され、前記のブリッスル１２の傍らに刃先１８ａを備えた刃物１８が立設されるとともに、刃物１８の刃先１８ａがブリッスル１２に対向して配置されている（図１を参照）。この実施の形態では、ブリッスル１２と刃物１８がそれぞれ５本毎設けられてれいるが、その数は必要に応じて設けることは自由である。
【００１４】
交換用剃刀２０は、ブラシ本体１４に形成された嵌合孔２４に着脱自在に設けるようにしたものであるから、刃物用母材２２が嵌合孔２４の形態に対応して設けられている（図２を参照）。
【００１５】
さらに具体的にいえば、該母材２２の一側は波状の凹凸面２６として形成され、一方、ブラシ本体１４の嵌合孔２４の一側は、母材２２の一側の波状の凹凸面２６に対応させて波状の凹凸面２８として形成されている（図１を参照）。
【００１６】
さらに、刃物用母材２２の長手方向の両側にはストッパー３０、３０が形成されている。一方、ブラシ本体１４の表面側における嵌合孔２４の開口の両側には、前記のストッパー３０、３０に対応する係合段部３２が形成されている（図４を参照）。
【００１７】
かくして、この交換用剃刀２０の刃物１８側をブラシ本体１４の表面から下面に向け、交換用剃刀２０の該母材２２をブラシ本体１４の嵌合孔２４に嵌合する。そして、母材２２の波状の凹凸面２６が、ブラシ本体１４の嵌合孔２４の波状の凹凸面２８に嵌合され、さらに、交換用剃刀２０の刃物用母材２２に設けられたストッパー３０、３０がブラシ本体１４の係合段部３２により、支持されることにより、交換用剃刀２０をブラシ本体１４に妄動することなく、確実に装着でき、交換用剃刀２０を取り外しに備えて刃物用母材２２につまみ３４が設けられている（図４を参照）。
【００１８】
かくして、前記の交換用剃刀２０の刃物用母材２２をブラシ本体１４の嵌合孔２４に嵌合することにより、多数のブリッスル１２がブラシ本体１４に立起された毛髪用ブラシ１０において、前記のブリッスル１２の傍らに刃先１８ａを備えた刃物１８が立設されるとともに、刃物１８の刃先１８ａがブリッスル１２に対向した毛髪用ブラシ１０を得ることができる（図３を参照）。
【００１９】
なお、この交換用剃刀２０は、ブリッスル１２と刃物１８を組み合わせたものであるから、ブラシ本体１４から独立してそれ自体単独で毛髪の整髪用具として利用できる利点を有する。
【００２０】
他方、前記の交換用剃刀２０では、ブリッスル１２と刃物１８を組み合わせたが、ブリッスル１２を省略した毛髪ブラシ用交換刃物も発明者は予定している。
図示を省略したが、刃物用母材２２に前記した刃物１８を単独に立設させることにより、交換用の刃物を得ることができる。換言すれば、図１を参照して、ブリッスル１２のない状態のものである。この場合は、ブリッスル１２がないものであるから、ブラシ本体１４のブリッスル１２の傍らに嵌合孔を設けることにより、刃物をその嵌合孔に装着させるようにすればよい。
【００２１】
このようなブリッスルを省略した交換用剃刀２０の刃物用母材２２をブラシ本体１４の嵌合孔に嵌合することにより、多数のブリッスル１２がブラシ本体１４に立起された毛髪用ブラシ１０において、前記のブリッスル１２の傍らに刃先１８ａを備えた刃物８が立起されるとともに、刃物１８の刃先１８ａがブリッスル１２に対向した毛髪用ブラシ１０を得ることができる。この場合、刃物の装着時に刃先を隣接するブリッスル１２に配置することが好ましい。
【００２２】
また、交換用剃刀２０に立設している刃物１８は、剃刀のように一側に刃先１８ａを備えた板状のものでよく、断面略Ｕ字状のプラスチックス製のカバー１８ｂを設け、このカバー１８ｂ内に刃先１８ａをカバー１８ｂの開口部側へ露呈させて内装されている。断面Ｕ字状のプラスチックス製のカバー１８ｂ内に刃物１８を内装するには、いわゆるインサート成形を行うことにより、手軽に実施できる。
【００２３】
刃物１８の刃先１８ａの高さをブリッスル１２の高さと同程度に設定する場合は、追って詳細を説明するが、使用上、刃物１８の刃先１８ａを頭皮Ｔに接触させたとき、頭皮Ｔを損傷させるおそれがあるから、前記したプラスチックス製のカバー１８ｂを採用し、刃物１８の先端をプラスチックス製のカバー１８ｂで覆うことにより、頭皮Ｔの損傷を防止できる利点を有する。
【００２４】
刃物１８のカバー１８ｂには、図１に示されるように、刃物１８の刃先１８ａの延長線に対して直角方向に刃先１８ａの延長線を越えて僅かに飛び出る突起１８ｃを一定間隔毎に設けることも発明者は予定している。カバー１８ｂの強度の増加を図ることができることのほか、突起１８ｃを一定の間隔毎に設けることにより、刃物１８とブリッスル１２との間に導入される毛髪Ｈが突起１８ｃにより、分断できるので毛髪Ｈを過剰に切断するおそれがない。
【００２５】
交換用剃刀を装着した毛髪用ブラシ１０の使用時の毛髪Ｈに対する角度は、使用者の好み、毛髪Ｈの梳き部位や切断する部位により、異なることが少なくない。さらに、利き腕の相違によっても毛髪Ｈに対する角度は相違する。毛髪用ブラシ１０の使用時の毛髪Ｈに対する使用角度の相違は、当然のことながら、前記のブリッスル１２やとりわけ、刃物１８の刃先１８ａの傾斜角度に影響を与える。
【００２６】
そこで、発明者は、前記の使用条件の相違を考慮し、実験的に使用角度の研究を試みた。その結果、たとえば、利き腕が右利きであって、右後頭部の毛髪Ｈを右側から首方向に向けて毛髪用ブラシ１０を斜めに移動させて、毛髪Ｈを梳き、かつ、切断する場合を基準としたとき、その傾斜角度は、ブラシ本体１４の中心線に対して１０〜８０度の範囲、このましくは６０度が適当であることが判明した。他方、利き腕が左利きであって、左後頭部の毛髪Ｈを梳き、かつ、切断する場合を基準としたときのその傾斜角度は、前記と対称的にブラシ本体１２の中心線に対して１００〜１７０度の範囲、このましくは１２０度が適当であることが判明した。
【００２７】
次にこの発明の交換用剃刀を装着した毛髪用ブラシ１０の使用方法を図面を参照して説明する。
【００２８】
このブラシ１０のブリッスル１２側を毛髪Ｈ側に向け、かつ、頭皮Ｔに沿わせて移動させる（図６及び図７の符号Ｙ方向）。この場合、一般的にその移動は緩やかな円弧を描くことが普通である。この移動に伴い、多数のブリッスル１２および刃物１８により毛髪Ｈを梳くことができることは勿論、頭皮Ｔ側、換言すれば、毛髪Ｈの下層に存在するたとえば美観上無駄毛となる過剰な毛髪Ｈをブリッスル１２とその傍らの刃物１８の刃先１８ａとの間の間隔に収束状態で導入させる。
【００２９】
この場合、導入される収束状態の毛髪Ｈ群は刃物１８の刃先１８ａの垂直線方向に対してクロスされた状態で強制的に導入され、刃先１８ａ寄りの毛髪Ｈ群の一部が刃先１８ａに接触する。さらに、このブラシ１０を毛髪Ｈの先端方向（人体の首側）へ移動させることにより、毛髪Ｈは刃先１８ａと摩擦されつつ、収束状態の毛髪Ｈの一部つまり、刃先１８ａ寄りに位置する毛髪Ｈ群が切断される。したがって、この発明は、自身で行う困難性の高い頭皮Ｔ寄りの位置、換言すれば、根本から毛髪Ｈをまとめて切断できる利点がある。そして、切断された毛髪Ｈは、収束状態から解放され脱落するが、ブラシ１０の移動に追従して一般的に人体の首側つまり下方に位置している毛髪Ｈが新たに前記したブリッスル１２および刃物１８との間に強制されるように導入される。一方、刃先１８ａ寄りの未切断の状態にある毛髪Ｈは、前記のように刃先１８ａに接触して引き続き切断される。
【００３０】
したがって、頭皮Ｔ側つまり、下層の毛髪Ｈにブリッスル１２とその傍らの刃物１８の刃先１８ａを当接させることができるから、頭皮Ｔ側の毛髪Ｈをもブリッスル１２と相まって、梳きつつ切断できる。
【図面の簡単な説明】
【００３１】
【図１】この発明の実施の形態に係る交換用剃刀の斜視図
【図２】毛髪用ブラシ本体に交換用剃刀を装着する前の状態を示す斜視図
【図３】毛髪用ブラシ本体に交換用剃刀を装着した後の状態を示す斜視図
【図４】図３の一部拡大断面図
【図５】背景技術係る毛髪用ブラシの刃物の毛髪に対する切断要領を示す説明図
【図６】交換用剃刀を装着した毛髪用ブラシの使用状態を説明する図
【図７】交換用剃刀を装着した毛髪用ブラシの切断要領を示す説明図
【符号の説明】
【００３２】
１０ 毛髪用ブラシ
１２ ブリッスル
１４ ブラシ本体
１６ 取っ手
１８ 刃物
１８ａ 刃物の刃先 
１８ｂ 刃物のカバー 
１８ｃ 突起
２０ 交換用剃刀
２２ 刃物用母材
２４ 嵌合孔
２６ 刃物用母材の凹凸面
２８ ブラシ本体の凹凸面
３０ ストッパー 
３２ 係合段部
３４ つまみ
Ｈ 毛髪
Ｔ 頭皮
【図１】
2007296385.tif 000003
【図２】
2007296385.tif 000004
【図３】
2007296385.tif 000005
【図４】
2007296385.tif 000006
【図５】
2007296385.tif 000007
【図６】
2007296385.tif 000008
【図７】
2007296385.tif 000009